(57)【特許請求の範囲】
【請求項１】
可動体の動作により演出を行なう可動演出装置を遊技盤に備えた遊技機において、
前記遊技盤に設けられ、前記可動体を挟む両側に臨む第１板および第２板を備え、両板間に可動体が、両板の対向方向と交差する方向に移動自在に配設された支持部材と、
前記可動体を移動させる駆動手段と、
前記可動体における前記第１板と対向する一方の面と該第１板との間および該可動体における前記第２板と対向する他方の面と該第２板との間の夫々に転動自在に配設され、前記支持部材に対して可動体を移動自在に支持する複数の球体とを備え、
前記球体が臨む面には、該球体が転動自在に接触する突条部が前記可動体の移動方向に沿って設けられる
ことを特徴とする遊技機。
【請求項２】
前記支持部材に対して前記可動体が回動自在に枢支されて、該可動体は基準位置と作動位置との間を揺動するよう構成され、該可動体の一方の面に臨む複数の前記球体および他方の面に臨む複数の前記球体の夫々は、該可動体の周方向に等間隔で配置される請求項１記載の遊技機。
【請求項３】
前記可動体の基準位置において前記可動体の一方の面に臨む各球体の位置は、可動体の他方の面において可動体の移動方向に隣り合う球体の中間に臨むように設定される請求項２記載の遊技機。
【請求項４】
前記支持部材の第２板に、前記球体が転動自在に遊嵌される第１の受部が配設されて、該第１の受部に遊嵌された球体が可動体の対向する他方の面に転動自在に接触すると共に、
前記可動体の一方の面に、前記球体が転動自在に遊嵌される第２の受部が配設されて、該第２の受部に遊嵌された球体が前記支持部材の対向する第１板に転動自在に接触するよう構成される請求項１〜３の何れか一項に記載の遊技機。
【発明の詳細な説明】
【技術分野】
【０００１】
この発明は、可動体の動作により演出を行なう可動演出装置を備えた遊技機に関するものである。
【背景技術】
【０００２】
代表的な遊技機であるパチンコ機は、機内にセットされる遊技盤の盤面に画成した遊技領域の略中央位置に枠状の装飾部材が配設されて、遊技盤の裏側に配設された液晶式やドラム式等の図柄表示装置の表示部を装飾部材の窓口の後側に臨ませ、この図柄表示装置で図柄組み合わせゲームやリーチ演出等の遊技演出を行なうよう構成されている。また、パチンコ機では、所要の動作を行なう可動体を備えた可動演出装置を装飾部材に配設し、該可動体を図柄表示装置で行なわれる遊技演出に合わせて動作させることにより、視覚的な演出効果を向上させて遊技の興趣を高めている(例えば、特許文献１参照)。
【先行技術文献】
【特許文献】
【０００３】
【特許文献１】特開２００７−３７７４４号公報
【発明の概要】
【発明が解決しようとする課題】
【０００４】
近年では、視覚的な演出効果を高めてインパクトのある演出を行なうため、前記可動体を大型化する傾向にある。しかるに、前記特許文献１のパチンコ機では、支持部材に対して可動体は、該可動体の背面に支持部材に突設した突起が摺接した状態で支持されているため、可動体が動作する際には背面が突起に対して摺動するから、可動体が大型になる程摺動抵抗が大きくなって可動体の円滑な動作が妨げられると共に、該可動体を動作させる駆動手段に加わる負荷も大きくなる。また、可動体と突起とが摺動するため、可動体の背面や突起が経時的に摩耗してしまい、短期間で可動体を安定して支持できなくなるおそれがある。
【０００５】
すなわち本発明は、従来の技術に係る遊技機に内在する前記課題に鑑み、これを好適に解決するべく提案されたものであって、可動体の円滑な動作を長期に亘って維持し得る遊技機を提供することを目的とする。
【課題を解決するための手段】
【０００６】
前記課題を克服し、所期の目的を達成するため、本願の請求項１に係る発明は、
可動体(39)の動作により演出を行なう可動演出装置(36)を遊技盤(17)に備えた遊技機において、
前記遊技盤(17)に設けられ、前記可動体(39)を挟む両側に臨む第１板(44a)および第２板(43a)を備え、両板(44a,43a)間に可動体(39)が、両板(44a,43a)の対向方向と交差する方向に移動自在に配設された支持部材(38)と、
前記可動体(39)を移動させる駆動手段(45)と、
前記可動体(39)における前記第１板(44a)と対向する一方の面と該第１板(44a)との間および該可動体(39)における前記第２板(43a)と対向する他方の面と該第２板(43a)との間の夫々に転動自在に配設され、前記支持部材(38)に対して可動体(39)を移動自在に支持する複数の球体(49,63)とを備え、
前記球体(49,63)が臨む面には、該球体(49,63)が転動自在に接触する突条部(57,61)が前記可動体(39)の移動方向に沿って設けられることを特徴とする。
【０００７】
請求項１の発明によれば、可動体を両側から転動自在な球体で移動自在に支持するようにしたから、可動体の動作時に発生する抵抗を低減することができ、可動体が大型化しても円滑に動作させ得ると共に、駆動手段に加わる負荷も低く抑えることができる。また、可動体の移動に際しては球体が転動するから、該球体が接触する面の摩耗は抑制され、球体による可動体の長期に亘る安定した支持が図られ、可動体の円滑な動作を長期に亘って維持することができる。また、球体が接触する突条部が摩耗したとしても、可動体と支持部材とが接触するまでの期間を延ばすことができる。
【０００８】
請求項２に係る発明では、前記支持部材(38)に対して前記可動体(39)が回動自在に枢支されて、該可動体(39)は基準位置と作動位置との間を揺動するよう構成され、該可動体(39)の一方の面に臨む複数の前記球体(63)および他方の面に臨む複数の前記球体(49)の夫々は、該可動体(39)の周方向に等間隔で配置されることを要旨とする。
請求項２の発明によれば、可動体が揺動する際の動作が安定する。
【０００９】
請求項３に係る発明では、前記可動体(39)の基準位置において前記可動体(39)の一方の面に臨む各球体(63)の位置は、可動体(39)の他方の面において可動体(39)の移動方向に隣り合う球体(49,49)の中間に臨むように設定されることを要旨とする。
請求項３の発明によれば、基準位置において可動体を安定して支持することができ、可動体を適正な姿勢に保持し得る。
【００１０】
請求項４に係る発明では、前記支持部材(38)の第２板(43a)に、前記球体(49)が転動自在に遊嵌される第１の受部(48)が配設されて、該第１の受部(48)に遊嵌された球体(49)が可動体(39)の対向する他方の面に転動自在に接触すると共に、
前記可動体(39)の一方の面に、前記球体(63)が転動自在に遊嵌される第２の受部(62)が配設されて、該第２の受部(62)に遊嵌された球体(63)が前記支持部材(38)の対向する第１板(44a)に転動自在に接触するよう構成されることを要旨とする。
請求項４の発明によれば、支持部材と可動体との組付けに際し、第２板、可動体、第１板の順で組付けることができ、組付け作業が容易になる。
【発明の効果】
【００１２】
本発明に係る遊技機によれば、可動体の円滑な動作を維持し得る。
【図面の簡単な説明】
【００１３】
【図１】本発明の好適な実施例に係るパチンコ機を示す正面図である。
【図２】実施例に係る遊技盤を示す正面図である。
【図３】実施例に係る裏ユニットを示す正面図である。
【図４】実施例に係る裏ユニットから右可動演出装置を取外した状態を示す概略斜視図である。
【図５】図３のＡ−Ａ線断面図である。
【図６】実施例に係る右可動演出装置を分解して前側から視た状態で示す概略斜視図である。
【図７】実施例に係る右可動演出装置を分解して後側から視た状態で示す概略斜視図である。
【図８】実施例に係る右可動演出装置の装飾体部を分解して前側から視た状態で示す概略斜視図である。
【図９】図５における右可動演出装置の裏ユニットに対する取付部分を拡大して示す断面図である。
【図１０】図３のＢ−Ｂ線断面図である。
【図１１】実施例に係る右可動演出装置の待機位置における前球体と後球体との関係を示す説明図である。
【発明を実施するための形態】
【００１４】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」、「上」、「下」とは、特に断りのない限り、図１に示すようにパチンコ機を前側(遊技者側)から見た状態で指称する。
【実施例】
【００１５】
(パチンコ機について)
実施例に係るパチンコ機１０は、図１に示すように、矩形枠状に形成されて遊技店の図示しない設置枠台に固定される固定枠としての外枠１１の開口前面側に、後述する遊技盤１７(図２参照)が着脱可能に保持された本体枠としての中枠１２が開閉および着脱可能に組付けられて、該遊技盤１７の裏側に対して、各種図柄を変動表示可能な図柄表示装置１３が着脱し得るよう配設されている。また、前記中枠１２の前面側には、前記遊技盤１７を透視保護するガラス板を備えた装飾枠としての前枠１４が開閉可能に組付けられると共に、該前枠１４の下方にパチンコ球を貯留する下球受け皿１５が開閉可能に組付けられる。なお、実施例では、前記前枠１４の下部位置に、パチンコ球を貯留する上球受け皿１６が一体的に組付けられており、前枠１４の開閉に合わせて上球受け皿１６も一体的に開閉するよう構成される。
【００１６】
(遊技盤について)
前記中枠１２に配設される前記遊技盤１７は、図２または図３に示すように、前面(盤面)にパチンコ球が流下可能な遊技領域１８ａが画成され、アクリルやポリカーボネート等の光透過性の合成樹脂材からなる平板状の透明板(板部材)１８と、該透明板１８の裏面に組付けられて前記図柄表示装置１３が着脱可能に配設されると共に、何れも後述する可動演出装置３４,３５,３６(図４参照)や発光装置３７が配設される合成樹脂材で形成された裏ユニット１９とから構成され、該裏ユニット１９に形成された前後に開口する開口部１９ａを介して図柄表示装置１３の表示部を前面側から視認し得るよう構成されている。裏ユニット１９に形成される開口部１９ａは、図３,図４に示す如く、該裏ユニット１９の上下および左右幅の大部分が開口する大型の開口部である。ここで、前記透明板１８および裏ユニット１９は、外郭形状が略整合する大きさおよび形状に形成されて、該透明板１８と裏ユニット１９とを組付けた状態で透明板１８の裏面を裏ユニット１９で全面的に覆うよう構成される。
【００１７】
(透明板について)
図２に示すように、前記透明板１８の前面には、円弧状に形成した案内レール２０が配設されると共に、該案内レール２０の右方位置に、左端縁が右方に凹む円弧状に形成した第１盤面飾り部材２１が配設されている。そして、前記案内レール２０および第１盤面飾り部材２１により前記遊技領域１８ａが略円形状に画成される。また、前記透明板１８の盤面には、前記案内レール２０の左方(遊技領域１８ａの外側)の上下位置に第２盤面飾り部材２２が夫々が配設されている。前記第１および第２盤面飾り部材２１,２２の夫々は、不透明な合成樹脂材から形成されており、透明板１８において該第１および第２盤面飾り部材２１,２２が配設された部分を除いた領域(すなわち遊技領域１８ａ)で裏側(裏ユニット１９)を視認し得るよう構成される。すなわち、前記裏ユニット１９に配設される可動演出装置３４,３５,３６や発光装置３７は、透明板１８を介して前側から視認し得るようになっている。なお、前記透明板１８の遊技領域１８ａ内には、多数の遊技釘(図示せず)が植設されており、該遊技領域１８ａを流下するパチンコ球は、遊技釘との接触により流下方向が不規則に変更させられるよう構成してある。
【００１８】
前記透明板１８には、後述する装飾部材２６の配設位置より下方位置に、前記遊技領域１８ａを流下するパチンコ球が入賞可能な始動入賞装置２３や特別入賞装置２４が配設されており、始動入賞装置２３の始動入賞口へのパチンコ球の入賞を契機として、所定数のパチンコ球が賞球として前記上下の球受け皿１５,１６に払い出されると共に前記図柄表示装置１３の表示部において図柄変動演出が開始され、該図柄変動演出の結果、図柄表示装置１３の表示部に所定の図柄組み合わせ(例えば同一図柄の三つ揃い等)で図柄が停止表示されることで所謂「大当り」が発生し、これにより特別入賞装置２４へのパチンコ球の入賞が許容されて多数の賞球を獲得し得るようになっている。なお、透明板１８には、特別入賞装置２４の左右両側に普通入賞装置２５が夫々が配設されている。
【００１９】
(装飾部材について)
前記透明板１８には、前後に貫通する貫通孔が形成されており、該貫通孔に対して前後に開口する枠状の装飾部材２６が嵌め込まれるようにして着脱自在に配設される。そして、前記裏ユニット１９の開口部１９ａから臨む前記図柄表示装置１３の表示部は、装飾部材２６における前後に開口する窓口２６ａを介して透明板１８(遊技盤１７)の前側に露出して、該図柄表示装置１３の表示部で展開される図柄変動演出を前側から視認し得るようになっている。すなわち、当該遊技盤１７において装飾部材２６の窓口２６ａ内が、図柄表示装置１３の表示部を前側から視認可能とする可視部となる。
【００２０】
前記装飾部材２６には、上縁部から左右両縁部に亘り、透明板１８の前面より前方に突出する円弧状の庇状部２６ｂが設けられており、前記遊技領域１８ａに打ち出されたパチンコ球を外周部の庇状部２６ｂで案内し得ると共に、該パチンコ球が装飾部材２６の窓口２６ａを横切って流下するのを庇状部２６ｂで規制している。また装飾部材２６には、図２に示す如く、窓口２６ａの下側に、ステージ２７が配設されると共に、窓口２６ａの左側に、遊技領域１８ａに開口して該遊技領域１８ａを流下するパチンコ球を取込んでステージ２７に案内する球通路部２８が設けられ、該球通路部２８からステージ２７に通出されたパチンコ球は、ステージ２７上を左右に転動した後に、前記各入賞装置２３,２４,２５が配設されている遊技領域１８ａに排出される。
【００２１】
前記装飾部材２６には、図２に示す如く、窓口２６ａにおける上部に上可動演出装置２９が配設され、該上可動演出装置２９は、駆動手段によって上可動体２９ａが、前記図柄表示装置１３における表示部の前側に臨む作動位置と該表示部の前側から退避する待機位置(基準位置)との間を移動するよう構成される。また、装飾部材２６の右下部に右下可動演出装置３０が配設されており、該右下可動演出装置３０は、駆動手段によって右下可動体３０ａが回転されて演出を行なうよう構成される。なお、上可動体２９ａおよび右下可動体３０ａは、何れも内部に発光装置を備え、動作による演出のみならず発光によっても演出し得るようになっている。
【００２２】
(裏ユニットについて)
前記裏ユニット１９は、図４に示すように、前方に開口する矩形箱状に形成された箱状本体３１と、該箱状本体３１の開口前端部に形成されて当該箱状本体３１の開口外側へ延出し、前記透明板１８の裏面に当接する取付部３２とから構成される。箱状本体３１は、前記透明板１８に対向する矩形板状に形成された対向面部３３と、該対向面部３３における上下左右の各縁部から前方に延出する画壁部７７とから前方に開口するよう形成されて、画壁部７７の前端部から箱状本体３１の開口外側へ向けて延出するよう前記取付部３２が形成されている。そして、取付部３２の前面を透明板１８の裏面に当接した状態で、ネジを介して透明板１８に裏ユニット１９が着脱自在に固定される。また対向面部３３に、上下および左右幅の大部分が開口する大型の前記開口部１９ａが形成されており、以下の説明において、対向面部３３における開口部１９ａに対する上下左右に位置する部分について、上対向面部３３ａ、下対向面部３３ｂ、左対向面部３３ｃ、右対向面部３３ｄと夫々指称するものとする。
【００２３】
前記透明板１８の裏側に裏ユニット１９を取付けた状態で、該裏ユニット１９の対向面部３３と透明板１８との間に所要の空間が画成され、前記対向面部３３に設けられる前記可動演出装置３４,３５,３６や発光装置３７が該空間に臨むよう構成される。実施例では、図４に示す如く、下対向面部３３ｂに下可動演出装置３４が配設され、左対向面部３３ｃに左可動演出装置３５が配設され、右対向面部３３ｄに右可動演出装置３６が配設されると共に、下対向面部３３ｂおよび左対向面部３３ｃに発光装置３７が夫々配設される。
【００２４】
(下および左の可動演出装置について)
前記下可動演出装置３４は、図４に示す如く、下対向面部３３ｂに対して左右方向に回動自在に配設された一対の下可動体３４ａ,３４ａと、両下可動体３４ａ,３４ａを相互に反対方向に揺動するよう駆動する下駆動機構３４ｂとを備え、下駆動機構３４ｂによって両下可動体３４ａ,３４ａは、前記図柄表示装置１３における表示部の前側に臨む作動位置と該表示部の前側から退避する待機位置との間を揺動するよう構成される。両下可動体３４ａ,３４ａは、何れも作動位置において前記窓口２６ａの下端縁部から図柄表示装置１３における表示部の略中央部まで延出する大型のものであって、両下可動体３４ａ,３４ａが表示部中央で合体することで一つの意匠を構成するようになっている。
【００２５】
前記左可動演出装置３５は、左対向面部３３ｃに沿って斜め上下方向に移動自在な左可動体３５ａと、該左可動体３５ａを駆動する左駆動機構３５ｂとを備え、該左駆動機構３５ｂによって左可動体３５ａは斜め上下方向に往復移動するよう構成される。
【００２６】
(発光装置について)
前記下対向面部３３ｂおよび左対向面部３３ｃには、対応する下可動演出装置３４または左可動演出装置３５の前側に離間して発光装置３７が夫々配設され、該発光装置３７と下対向面部３３ｂおよび左対向面部３３ｃとの間に画成される空間に、前記下可動演出装置３４における左側の下可動体３４ａが待機位置において収容され、また該発光装置３７と下対向面部３３ｂおよび右対向面部３３ｄとの間に画成される空間に、右側の下可動体３４ａが待機位置において収容される。発光装置３７は、前方に開口する基板ケースの前面開口に光透過性の装飾板を配設すると共に、基板ケース内に複数のＬＥＤを実装した発光基板を備え、ＬＥＤから前方に向けて光を照射することで、裏側から照明された装飾板が前記透明板１８を透して前側から視認されるようになっている。なお、下対向面部３３ｂに配設される発光装置３７は、前記ステージ２７を下側から照明するＬＥＤを備えている。
【００２７】
(右可動演出装置について)
図４〜図７に示すように、前記右可動演出装置３６は、前記裏ユニット１９に取付けられる本体をなす支持部材３８に対して所要の動作を行ない得る右可動体(可動体)３９が配設されている。右可動体３９は、槍の穂先部を模した長尺な形状に形成された装飾体部４０と、該装飾体部４０の長手方向の一端に設けられて前記支持部材３８に揺動可能に支持される可動基部４１とから構成される。支持部材３８は、裏ユニット１９の右対向面部３３ｄの下部に突設された複数の取付突部４２の前端にネジ止め固定されて、該支持部材３８に支持されている右可動体３９は、通常時には裏ユニット１９の右開口端に沿って上下方向に延在する姿勢(図３の実線参照)となる待機位置に保持されている。なお、実施例では、図２に示すように、前記右可動体３９が待機位置にある状態において、該右可動体３９の前側に前記装飾部材２６が位置するよう構成されており、該装飾部材２６で右可動体３９の一部(右側部)が覆われている。右可動体３９は、作動位置において対応する窓口２６ａの右端縁部から図柄表示装置１３における表示部の中央まで延出する大型のものであり(図３のニ点鎖線参照)、該右可動体３９は、作動位置において前記下可動体３４ａと相互に干渉しないように移動経路が前後(実施例では右可動体３９の後方に下可動体３４ａが臨む)に離間するよう設定される。
【００２８】
(支持部材について)
図６および図７に示す如く、前記支持部材３８は、前記裏ユニット１９の右対向面部３３ｄに取付けられる取付ベース体４３と、該取付ベース体４３の前面に取付けられるカバー体４４とから構成されており、取付ベース体４３に対して、前記右可動体３９を揺動させる駆動手段としての駆動モータ４５が配設されている。取付ベース体４３は、平板状に形成された後板(第２板)４３ａの外周縁部に前方に向けて側壁４３ｂを突設した前方に開口する箱状に形成されると共に、カバー体４４は、平板状に形成された前板(第１板)４４ａの外周縁部に後方に向けて側壁４４ｂを突設した後方に開口する箱状に形成される。そして、取付ベース体４３とカバー体４４とを、後板４３ａおよび前板４４ａを対向して両側壁４３ｂ,４４ｂの端部を当接するように取付けることで、取付ベース体４３とカバー体４４との間に収容空間が画成されるようになっている(図９,図１０参照)。なお、取付ベース体４３およびカバー体４４は、何れも合成樹脂材から形成されている。
【００２９】
(取付ベース体について)
前記取付ベース体４３における後板４３ａの裏面には、図６,図７に示すように平板状の補強板金４６が複数のネジ７６を介してネジ止め固定されると共に、該補強板金４６に配設されて前方に突出する支持軸４６ａが、後板４３ａに形成した通孔４３ｃに挿通されて前記収容空間に臨んでいる。そして、前記右可動体３９の可動基部４１に形成されて前後に貫通する軸孔５９ａ(後述)に支持軸４６ａを挿通することで、該右可動体３９が取付ベース体４３(支持部材３８)に対して揺動可能に支持されるよう構成される。また、取付べース体４３における後板４３ａの前面には、図６に示す如く、前記通孔４３ｃを中心とする所定直径で環状の補強リブ４７が突設されると共に、該補強リブ４７には後受部(第１の受部)４８が周方向に等間隔で設けられている。実施例では、周方向に９０°の角度間隔で４つの後受部４８が設けられる。各後受部４８には、前側に開口する凹部４８ａが形成されて、該凹部４８ａに前側から後球体(球体)４９が転動自在に遊嵌されて、該後球体４９の後受部４８から前方に突出する部分が前記可動基部４１の裏面(他方の面)に転動自在に接触するよう構成される(図９,図１０参照)。なお、後球体４９としては、該後球体４９が接触する可動基部４１より硬い材質のものが好適に使用され、実施例ではステンレス製の球体が用いられる。また、前記補強板金４６を後板４３ａに固定するための各ネジ７６は、図６に示す如く、各後受部４８に近接する外側(径方向外側)に螺挿されるよう構成されて、各後受部４８の形成位置が変形するのを抑制するようになっている。図６および図７において符号５０は、前記補強板金４６に接続されるアース線を示す。
【００３０】
前記取付ベース体４３における後板４３ａには、図６に示す如く、その外周縁の複数箇所に前方に延出する固定用ボス５１が突設され、該固定用ボス５１にネジ孔５１ａが螺挿されている。また、後板４３ａの下端部側の裏面に前記駆動モータ４５が配設され、該モータ４５における後板前側に延出する出力軸に駆動歯車５２が前記収容空間に臨むように配設される。更に、後板４３ａの下端部における前記駆動モータ４５の配設位置に隣接する部位には、前記右可動体３９の揺動位置を検出する位置検出センサ５３が取付けられている。この位置検出センサ５３として、実施例では受光素子と発光素子とを備えた光学式センサを採用しているが、これに限らず、磁気センサやマイクロスイッチ、その他従来公知のセンサを右可動体側に設けられる被検出部(後述)に応じて採用することができる。
【００３１】
(カバー体について)
前記カバー体４４の前板４４ａには、図７に示す如く、前記取付ベース体４３の各固定用ボス５１と対応する位置に、前後方向に貫通する通孔４４ｃが夫々穿設されており、取付ベース体４３の側壁４３ｂとカバー体４４の側壁４４ｂとを対向当接した状態で、各通孔４４ｃに前側から挿通したネジ５４を対応する固定用ボス５１のネジ孔５１ａに螺挿することで、取付ベース体４３にカバー体４４が位置決め固定される。なお、カバー体４４の前板４４ａにおける複数の通孔４４ｃに対応する位置に、対応する固定用ボス５１の前端が嵌挿可能な筒受部５５(図７に一部のみ図示)が後側に向けて突設されており(実施例では２箇所に筒受部５５が設けられるが、複数であればよい)、複数の筒受部５５に対応する固定用ボス５１を夫々嵌挿することで、取付ベース体４３とカバー体４４とが位置決めされるようになっている。また前板４４ａには、前記右可動体３９の軸孔５９ａに挿通されて前側に突出する前記支持軸４６ａの先端を支持する軸受部５６が形成してある(図９,図１０参照)。
【００３２】
前記カバー体４４における前板４４ａの裏面に、図７に示す如く、前記軸受部５６を中心として所要直径で環状の第１の突条部５７が突設され、該突条部５７に、図９および図１０に示す如く、前記右可動体３９における可動基部４１に設けた後述する前球体６３が転動自在に接触するよう構成される。実施例では、第１の突条部５７は、前記取付ベース体４３の補強リブ４７と同一直径で形成されて、第１の突条部５７は、可動基部４１を挟んで前記各後受部４８に遊嵌されている後球体４９の前方に臨むようになっている。
【００３３】
前記カバー体４４の側壁４４ｂは、図７および図９に示すように前板４４ａの上側において所定長さに亘って切欠かれており、この切欠部５８において前記支持部材３８の収容空間は外部に開口し、この切欠部５８から右可動体３９における可動基部４１の固定部６０(後述)が外部に延出するよう構成される。前記取付ベース体４３における１つの固定用ボス５１は、カバー体４４の切欠部５８における左下部側に対応するように位置し、該固定用ボス５１と、切欠部５８における右端縁を形成する側壁４４ｂ端部とがストッパとして機能するよう構成されており、支持部材３８に対して右可動体３９が揺動された際に、前記固定部６０が各ストッパ(５１,４４ｂ)に当接することで右可動体３９の揺動範囲を制限するようになっている。なお、以下の説明では、切欠部５８における右端縁を形成する側壁４４ｂ端部を第１ストッパと指称すると共に、切欠部５８に臨む固定用ボス５１を第２ストッパと指称する場合もある。
【００３４】
(右可動体について)
図７または図８に示すように、前記右可動体３９は、前記支持部材３８に対して取付ベース体４３の後板４３ａおよびカバー体４４の前板４４ａとの対向方向と交差する方向に回動自在に枢支される前記可動基部４１と、該可動基部４１に支持部材３８の外部で取付けられた前記装飾体部４０とから構成される。そして、前記支持部材３８に配設された前記駆動モータ４５を正逆方向に駆動することで、右可動体３９は前記支持軸４６ａを中心として揺動するよう構成されている。
【００３５】
(可動基部について)
前記可動基部４１は、図６〜図８に示すように、略円盤状に形成された本体部５９と、該本体部５９における外周縁の所要部位に形成されて径方向に延出する固定部６０とを備え、本体部５９の略中央に前後に貫通するよう穿設された軸孔５９ａに、前記支持軸４６ａが回動自在に挿通される。すなわち、可動基部４１は、本体部５９の軸孔５９ａに挿通された支持軸４６ａを中心として回動可能に支持部材３８に支持される。前記固定部６０は、右可動体３９の前記待機位置において支持軸４６ａの上方に臨んで、該固定部６０が支持部材３８の前記切欠部５８から外方に延出している(図５,図９参照)。そして、待機位置では、前記カバー体４４の第１ストッパ(４４ｂ)に固定部６０が当接することで右可動体３９の揺動が規制されており、該待機位置から右可動体３９が左方向に傾倒するよう揺動して前記第２ストッパ(５１)に固定部６０が当接することで右可動体３９の揺動が規制されるようになっている。なお、以下の説明では、前記固定部６０が第２ストッパ(５１)に当接して右可動体３９の揺動が規制される位置を作動位置(図６に２点鎖線で示す)と指称する。すなわち、右可動体３９は待機位置と作動位置との間で揺動される。
【００３６】
前記可動基部４１の本体部５９における裏面(他方の面)に、前記取付ベース体４３に設けた前記補強リブ４７と対向する位置に環状の第２の突条部６１が突設されて、該突条部６１に、前記後受部４８に遊嵌されている後球体４９が転動自在に接触するよう構成される(図９,図１０参照)。また、本体部５９における前面(一方の面)には、図６に示す如く、外周縁部近傍に、前側に突出すると共に前側に開口する凹部６２ａが形成された前受部(第２の受部)６２が周方向に等間隔で設けられている。実施例では、前記軸孔５９ａを中心として前記後球体４９が位置する補強リブ４７に前後で整合する仮想円の周上において周方向に９０°の角度間隔で４つの前受部６２が設けられる。各前受部６２には、凹部６２ａに前側から前球体(球体)６３が転動自在に遊嵌されて、該前球体６３の前受部６２から前方に突出する部分が前記カバー体４４の前記第１の突条部５７に転動自在に接触するよう構成される(図９,図１０参照)。すなわち、可動基部４１の本体部５９は、前後両側で夫々複数の球体４９,６３により回動自在に支持されて、前記支持軸４６ａを中心に可動基部４１が揺動する際には、後球体４９および前球体６３に接触した状態で安定して揺動するよう構成されている。なお、前球体６３としては、該前球体６３が接触するカバー体４４より硬い材質のものが好適に使用され、実施例ではステンレス製の球体が用いられる。
【００３７】
前記右可動体３９の待機位置において可動基部４１の裏面に接触する各後球体４９は、図１１に示す如く、該可動基部４１の前面に配設されて周方向(右可動体３９の移動方向)に隣り合う前球体６３,６３の中間に臨むように設定される。すなわち、後球体４９および前球体６３は、夫々４つ球体が周方向に９０°の角度間隔で配置されているから、待機位置における正面視において、前球体６３と周方向に隣り合う後球体４９とは４５°の角度間隔で臨むようになっている。なお、４つの前球体６３の内の２つは、可動基部４１に配設される装飾体部４０の長手方向に整列するように前記支持軸４６ａを挟む両側に位置している(図１１参照)。
【００３８】
前記可動基部４１の本体部５９には、図１１に示す如く、前記軸孔５９ａを挟んで固定部６０の形成位置とは反対側(待機位置において下側)の外周縁に、前記駆動歯車５２と噛合する歯車部６４が所定角度範囲で形成されている。すなわち、前記駆動モータ４５を駆動して駆動歯車５２を正転および逆転方向に回転することで、可動基部４１(右可動体３９)は前記支持軸４６ａを中心として左右方向に揺動する。また、前記歯車部６４には、径方向外方に延出する前記被検出部としての第１位置検出片６５ａおよび第２位置検出片６５ｂが周方向に離間して形成されている。両位置検出片６５ａ,６５ｂは、前記位置検出センサ５３の発光素子と受光素子との間に臨み得る位置に設けられており、前記可動基部４１の揺動に伴って該発光素子と受光素子との間を位置検出片６５ａ,６５ｂが移動および臨み得るようになっている。そして、第１位置検出片６５ａを位置検出センサ５３で検出した際には、前記待機位置に右可動体３９が位置し(図３の実線参照)、第２位置検出片６５ｂを位置検出センサ５３が検出した際には、前記作動位置に右可動体３９が位置している(図３の二点鎖線参照)。そして、前記位置検出センサ５３が検出する右可動体３９の位置に基づいて、図示しない制御手段により駆動モータ４５が駆動制御されるよう構成される。
【００３９】
なお、前記可動基部４１における本体部５９および固定部６０の外周縁には、該固定部６０における延出端縁(後述する装飾カバー６７の裏側に臨む縁)を除く部分に、前記前受部６２の突出寸法と同一寸法で前側に向けて突出する外壁部６６が形成されている(図８参照)。そして、本体部５９および固定部６０と前記カバー体４４の前板４４ａとの間に、後述する配線を引き回すための隙間を画成するよう構成される。
【００４０】
(装飾体部について)
前記装飾体部４０は、図８に示す如く、装飾カバー６７と、該装飾カバー６７の裏側に配設された基板ベース６８と、装飾カバー６７および基板ベース６８の間に配設されたＬＥＤ基板６９およびレンズカバー７０とから基本的に構成されて、装飾カバー６７の長手方向の一端が前記可動基部４１の固定部６０にネジ止め固定されている。実施例では、可動基部４１の固定部６０に長手方向の一端が固定された装飾体部４０は、前記裏ユニット１９と透明板１８との間に形成される空間内において、図５に示すように可動基部４１から離間するにつれて後方に傾斜するよう構成されて、前記待機位置において後述するＬＥＤ７１の光が斜め上方に向けて照射されるようになっている。
【００４１】
前記装飾カバー６７は、光透過性を有する合成樹脂材により槍の穂先部を模した形状に形成されると共に、全体が前方に膨出するよう形成されている。装飾カバー６７の前面の一部分には、遮光処理により光を透過不能な遮光部６７ａが設けられており、後述するＬＥＤ７１の光が遮光部６７ａで遮られることで、装飾カバー６７の前面に所要の模様が明輝表示されるようになっている。すなわち、遮光処理されていない領域がＬＥＤ７１からの光を透過可能な光透過部６７ｂとして機能する。なお、遮光処理としては、装飾カバー６７に塗装を施したり、アルミ等の金属を蒸着することで実現でき、また光を透過不能な部材を別途取付けることにより実現することも可能である。また装飾カバー６７には、前後方向に貫通する開口部分６７ｃが長手方向に離間して複数箇所に形成され、各開口部分６７ｃも前記ＬＥＤ７１の光を透過可能な光透過部となる。
【００４２】
前記装飾カバー６７の各開口部分６７ｃには、前記レンズカバー７０が裏側から夫々嵌合されている。前記ＬＥＤ基板６９は、前記装飾カバー６７と略相似形で、裏側に隠れる寸法に設定され、該ＬＥＤ基板６９と装飾カバー６７とで各レンズカバー７０が挟まれる。ＬＥＤ基板６９の前面には、各レンズカバー７０と対応する位置、および装飾カバー６７の光透過部６７ｂに対応する位置の夫々に複数のＬＥＤ７１が実装されており、該ＬＥＤ７１の光がレンズカバー７０および光透過部６７ｂを介して前側に照射されるよう構成してある。なお、ＬＥＤ７１は、発光色が単色のものであってもよく、また複数色を発光し得るものであってもよい。
【００４３】
前記装飾カバー６７の裏面には、後方に突出する固定突部(図示せず)が複数箇所に設けられると共に、前記ＬＥＤ基板６９には、各固定突部と対応する位置に切欠６９ａが形成されて、固定突部に切欠６９ａを嵌合することで装飾カバー６７に対してＬＥＤ基板６９が位置決めされる。前記基板ベース６８は、前記ＬＥＤ基板６９と略同一形状に形成されると共に、前記各固定突部と対応する位置の夫々に前後方向に貫通する通孔６８ａが形成されている。そして、装飾カバー６７と基板ベース６８との間に前記レンズカバー７０およびＬＥＤ基板６９を配置した状態で、基板ベース６８の各通孔６８ａに挿通したネジ７２を対応する固定突部に形成したネジ孔に螺挿することで、レンズカバー７０およびＬＥＤ基板６９を装飾カバー６７との間で挟持した状態で基板ベース６８が装飾カバー６７に位置決め固定される。なお、基板ベース６８には、複数の放熱口６８ｂが形成されている。
【００４４】
前記ＬＥＤ基板６９の前面には、前記固定部６０側の端部にコネクタ７３が設けられ、該コネクタ７３に一端が接続する配線は、装飾カバー６７と固定部６０との隙間から可動基部４１の本体部５９前側に引き出されるようになっている。前記カバー体４４の前板４４ａには、図７に示す如く、前記第１の突条部５７の内側位置に前後方向に貫通する配線口４４ｄが形成されており、前記配線は配線口４４ｄを介して支持部材３８の外部に引き出されるよう構成される。また前記可動基部４１の前面には、図６または図８に示す如く、前記固定部６０における本体部５９との連結部および本体部５９におけるカバー体４４の配線口４４ｄに対応する位置の夫々に第１配線フック７４が夫々形成されて、前記配線は、両配線フック７４,７４に係止されることで、本体部５９の前面に沿って引き回された後に、配線口４４ｄから外部に引き出されるようになっている。なお、カバー体４４の前面には、第２配線フック７５が形成され(図６参照)、配線口４４ｄから引き出された配線が第２配線フック７５に結束具を介して結束されるよう構成してある。
【００４５】
〔実施例の作用〕
次に、前述した実施例に係るパチンコ機の作用につき説明する。
【００４６】
前記遊技盤１７に設けた案内レール２０に沿って遊技領域１８ａに打ち出されたパチンコ球は、遊技盤１７に設けた遊技釘等に接触して流下方向を変更しながら流下する。前記遊技領域１８ａを流下するパチンコ球が前記始動入賞装置２３に入賞すると、制御手段の制御に基づいて前記図柄表示装置１３での図柄変動演出が開始され、図柄変動演出の結果、図柄表示装置１３に特定の図柄組み合わせが表示されると大当りが発生し、前記特別入賞装置２４が開放してパチンコ球の入賞が許容される。また、前記始動入賞装置２３にパチンコ球が入賞すると、前記制御手段の制御条件下で前記各可動演出装置２９,３０,３４,３５,３６に内蔵のＬＥＤ７１等が発光して光による演出が行なわれると共に、各可動体２９ａ,３０ａ,３４ａ,３５ａ,３９を移動する動作による演出が行なわれて、遊技の興趣を高める。特に、右可動演出装置３６においては、図５に示す如く、前記装飾体部４０が待機位置において上方に向かうにつれて後方に傾斜する姿勢に保持されており、前記ＬＥＤ基板６９に実装した複数のＬＥＤ７１を発光することで、該光は装飾体部４０に設けられているレンズカバー７０および光透過部６７ｂを介して斜め上前方に向けて照射され、パチンコ機１０の正面に位置している遊技者に対して右可動演出装置３６(右可動体３９)の存在をアピールすることができる。なお、前記発光装置３７においても、制御手段の制御条件下に発光による演出が行なわれる。
【００４７】
前記右可動演出装置３６の右可動体３９が待機位置から揺動される場合には、前記制御手段は駆動モータ４５を駆動して駆動歯車５２を回転させることで、該駆動歯車５２に歯車部６４が噛合する前記可動基部４１が支持軸４６ａを中心として作動位置に向けて揺動開始する。そして、右可動体３９(可動基部４１)に設けられた第２位置検出片６５ｂを位置検出センサ５３が検出した際に、制御手段が駆動モータ４５を停止することで、右可動体３９が作動位置で停止される(図３の二点鎖線位置)。また、前記作動位置に揺動された右可動体３９を待機位置に復帰させる場合には、前記制御手段が駆動モータ４５を逆回転させるよう回転制御して右可動体３９を揺動させる。そして、前記第１位置検出片６５ａを前記位置検出センサ５３が検出した際に、前記制御手段が駆動モータ４５を停止することで、前記右可動体３９が待機位置で停止される(図３の実線位置)。
【００４８】
すなわち、前記待機位置において前記装飾部材２６の開口右端縁の上下方向の略全長に亘って延在する長尺な右可動体３９が揺動して、前記図柄表示装置１３の前側に重なるよう移動することで、遊技者に大きなインパクトを与えることができ、遊技の興趣を大きく向上させ得る。また、実施例の右可動体３９は、前述のように下可動体３４ａの前側に重なる位置を揺動し得るよう構成してあるから、下可動体３４ａおよび右可動体３９が前後の関係で交差するように移動することで、遊技演出の幅を広げることができる。
【００４９】
前記右可動体３９の可動基部４１は、図９および図１０に示す如く、前後の両側から転動自在な前球体６３および後球体４９で移動自在に支持されている。すなわち、右可動体３９の揺動時には前後の球体６３,４９が転動することで、摺動する場合に比べて著しく抵抗を低減することができる。従って、前記支持部材３８に支持されている可動基部４１に対して装飾体部４０が長く設定された大型の右可動体３９においても、該可動体３９を円滑に揺動させることができ、かつ右可動体３９を揺動する駆動モータ４５に加わる負荷も低く抑え得る。
【００５０】
前記右可動体３９の揺動に際しては、可動基部４１の裏面に接触する後球体４９およびカバー体４４の裏面に接触する前球体６３の夫々が転動するから、該球体６３,４９が接触する面の摩耗は抑制され、球体４９,６３による右可動体３９の長期に亘る安定した支持が図られ、よって右可動体３９の円滑な動作は長期に亘って維持される。更に、前記右可動体３９の揺動に際し、前記取付ベース体４３に配設した後球体４９は、前記可動基部４１に突設した第２の突条部６１に接触して転動し、該可動基部４１に配設した前球体６３は、前記カバー体４４に突設した第１の突条部５７に接触して転動する。すなわち、各突条部６１,５７は、可動基部４１の裏面またはカバー体４４の裏面から所要高さで突出しているから、各球体４９,６３が接触する各突条部６１,５７が摩耗したとしても、取付ベース体４３(具体的には後受部４８)が可動基部４１の裏面に摺接したり、可動基部４１(具体的には前受部６２)がカバー体４４の裏面に摺接してしまうまでの期間を延ばすことができる。
【００５１】
前記可動基部４１の前後に配置される前球体６３および後球体４９は、何れも周方向に等間隔で配置されているから、可動基部４１が前記支持軸４６ａを中心として揺動する際の右可動体３９の動作が安定する。また、前記取付ベース体４３の後板４３ａには裏側に補強板金４６が配設されているから、該後板４３ａが変形するのは抑制される。しかも、補強板金４６を後板４３ａに固定する複数のネジ７６は、各後受部４８に夫々近接しているから、各後受部４８の形成部位が変形するのは一層抑制され、各後受部４８に遊嵌されている後球体４９の可動基部４１に対する接触圧は均一に維持されてより一層の安定した支持が図られる。すなわち、右可動体３９の揺動時における前後方向の偏倚は抑制されるから、前述したように右可動体３９と下可動体３４ａとが動作時に前後の関係で交差可能な構成において、両可動体３９,３４の移動経路を相互に干渉しない範囲でより近づけることができ、パチンコ機自体の前後寸法の短縮化に寄与し得る。
【００５２】
また、前記右可動演出装置３６の右可動体３９の基準となる待機位置において、前記可動基部４１に対する前球体６３および後球体４９の各位置は、後側に位置して周方向に隣り合う後球体４９と後球体４９との中間に、前側に位置する各前球体６３が臨んでいる(図１１参照)。すなわち、正面視において前記支持軸４６ａを中心とする同一の円周上において８個の球体６３,４９が等間隔(４５°の角度間隔)で位置して可動基部４１を支持しているから、当該待機位置において可動基部４１を安定して支持することができ、右可動体３９を適正な姿勢に保持し得る。また、正面視において前後の球体６３,４９が周方向に交互に位置することで、正面視において可動基部４１に対して球体６３,４９が接触する周方向の間隔は、前球体６３のみまたは後球体４９のみでの間隔より小さくなる(半分となる)。すなわち、可動基部４１に配設される前球体６３、および取付ベース体４３に配設される後球体４９について、少ない配設数で可動基部４１を安定して支持することができ、部品点数を低減してコストを抑えることができる。なお、右可動体３９の待機位置において、前記装飾体部４０の長手方向が前記支持軸４６ａの上方に整列した状態で延在しており、該長手方向に沿って２つの前球体６３が支持軸４６ａが挟んで位置することで、該右動体３９の安定した保持に寄与している。
【００５３】
前記右可動体３９に設けたＬＥＤ基板６９のコネクタ７３に接続する配線は、前記第１配線フック７４,７４に係止されて可動基部４１の前面に沿って引き回された後に、前記支持軸４６ａに近い第１配線フック７４に対応してカバー体４４に設けられた配線口４４ｄを介して支持部材３８の外部に引き出されている。従って、右可動体３９が揺動する際に支持部材３８の内部で配線の移動を抑制することができ、該配線が前球体６３と第１の突条部５７との間に入り込むのを防止し得る。
【００５４】
次に、ユニット化されている前記右可動演出装置３６における支持部材３８に対する右可動体３９の組付けについて説明する。
【００５５】
前記後板４３ａの裏側に補強板金４６を配設して支持軸４６ａが前側に突出されている前記取付ベース体４３を、作業台等に後板４３ａの前面が上向きとなる姿勢で載置したもとで、前記各後受部４８の凹部４８ａに上方から後球体４９を夫々嵌め込む。次に、右可動体３９における可動基部４１を、取付ベース体４３の上方から近接して前記軸孔５９ａに支持軸４６ａを挿通し、該可動基部４１の裏面に形成されている第２の突条部６１を後球体４９に接触させる。このように取付べース体４３に可動基部４１を取付けた後、該可動基部４１の前受部６２の凹部６２ａに対し、上方から前球体６３を夫々嵌め込む。そして、可動基部４１に対し、前記固定部６０が切欠部５８に臨むと共に前記第１の突条部５７が前球体６３に接触するように前記カバー体４４を被せる。このとき、前記支持軸４６ａの先端を軸受部５６で支持すると共に、取付べース体４３の固定用ボス５１を対応する筒受部５５に嵌挿することで、取付ベース体４３に対してカバー体４４が位置決めされる。最後に、カバー体４４の各通孔４４ｃに上方から挿通したネジ５４を対応する固定用ボス５１のネジ孔５１ａに螺挿することで、支持部材３８に対して右可動体３９が揺動自在に支持された状態で組付けられる。
【００５６】
前述したように、前記後球体４９が転動自在に遊嵌される後受部４８を取付ベース体４３の前側に設けると共に、前記前球体６３が転動自在に遊嵌される前受部６２を可動基部４１の前側に設けることで、支持部材３８に対する右可動体３９の組付けに際しては、各部品を一方向から順に組付けるだけでよく、組付け作業が容易となる。
【００５７】
(変更例)
本願は前述した実施例の構成に限定されるものではなく、その他の構成を適宜に採用することができる。
(1) 実施例では、透明板と裏ユニットとから遊技盤を構成したが、ベニヤ板からなる遊技盤であってもよい。
(2) 実施例では、支持部材に対して右可動体(可動体)が支持軸を中心として揺動するよう構成したが、支持部材に対して右可動体を平行移動する構成を採用することができ、この場合は該右可動体の平行移動方向に沿って前後の球体が等間隔で配設されていればよく、また突条部についても右可動体の移動方向に沿って設けられていればよい。
(3) 実施例では、後球体を取付ベース体に配設すると共に、前球体を右可動体(可動基部)に配設したが、前後の球体を夫々右可動体の前後に配設して対応する取付ベース体やカバー体に対して各球体が転動自在に接触する構成、あるいは後球体を取付ベース体に配設すると共に前球体をカバー体に配設して、各球体が右可動体の前面または裏面に転動自在に接触する構成等、前後の球体が配設される部材は、右可動体の前後において球体が転動しつつ右可動体を支持し得るものであればよい。
(4) 実施例では、右可動体の前後を球体で支持するよう構成したが、該可動体の移動態様に応じて可動体の上下または左右の両側を球体で支持する構成を採用し得る。
(5) 実施例では、球体で可動体が移動自在に支持される可動演出装置を裏ユニットに配設する場合で説明したが、当該可動演出装置は、透明板や装飾部材に配設されるものであってもよい。また、可動演出装置の遊技盤(透明板、装飾部材、裏ユニット)に対する配設位置は、上下・左右何れの位置であってもよい。更に、可動体における球体で支持される支持部分(可動基部)に対して遊技者から視認可能な視認部分(装飾体部)が上方に延在する構成に限らず、支持部分の遊技盤(透明板、装飾部材、裏ユニット)に対する配設位置に応じて、視認部分が支持部分の側方や下方に延在する構成を採用できる。
(6) 球体の配設数や配設位置等については、支持する可動体の大きさや形状等に応じて任意に設定することができ、例えば各面側において複数列で球体を配設(実施例の場合では同心円上に配設)する構成を採用し得る。また、一方の球体の配設数や配設位置(配設間隔)と、他方の球体の配設数や配設位置(配設間隔)とを異ならせてもよい。
(7) 実施例では、駆動モータからの動力を歯車を介して右可動体に伝達して移動するよう構成したが、動作を伝達する機構はこれに限られるものでなく、リンク機構等、その他公知の機構を採用し得る。また、駆動手段としても、電磁ソレノイド等、その他公知の手段を採用することができる。
(8) 遊技機としては、パチンコ機に限られるものではなく、アレンジボール機やパチンコ球を用いたスロットマシン等、その他各種の遊技機であってもよい。
【符号の説明】
【００５８】
１７  遊技盤
３６  右可動演出装置(可動演出装置)
３８  支持部材
３９  右可動体(可動体)
４３ａ  後板(第２板)
４４ａ  前板(第１板)
４５  駆動モータ(駆動手段)
４８  後受部(第１の受部)
４９  後球体(球体)
５７  第１の突条部
６１  第２の突条部
６２  前受部(第２の受部)
６３  前球体(球体)
【図１】
0005388812.tif 000002
【図２】
0005388812.tif 000003
【図３】
0005388812.tif 000004
【図４】
0005388812.tif 000005
【図５】
0005388812.tif 000006
【図６】
0005388812.tif 000007
【図７】
0005388812.tif 000008
【図８】
0005388812.tif 000009
【図９】
0005388812.tif 000010
【図１０】
0005388812.tif 000011
【図１１】
0005388812.tif 000012